(57)【要約】 【課題】  端子金具に突起を設けることなく、端子金具の不正な姿勢での挿入動作を規制する。【解決手段】  端子金具２０を正規の姿勢に対して左右いずれかへ９０°回転した姿勢でキャビティ１１に挿入しようとしても、周方向に隣り合う２つの角部３と３４，３２と３３の形状が異なるので、角部３１，３２が凸部１２，１３と干渉し、挿入が不能となる。端子金具２０を正規の姿勢に対して１８０°反転させた姿勢でキャビティ１１に挿入しようとしても、対角に位置する２つの角部３１と３３，３２と３４の形状が異なるので、角部３１，３２が凸部１２，１３と干渉し、挿入が不能となる。端子金具２０の不正な姿勢での挿入を規制する手段である凹部３５，３６は、箱部２１を構成する上下左右の４面よりも内側に凹ませた形態である。【選択図】  図１
2006019076.tif 000002
【特許請求の範囲】
【請求項１】
ハウジングのキャビティ内への挿入を可能とされ、前記キャビティへの挿入方向と直交する横断面形状が概ね方形をなす箱部を備えた端子金具であって、
前記箱部の略方形の横断面を構成する４つの角部のうち少なくとも１つの角部に位置する部分に、前記箱部を構成する上下左右の外面よりも内側に凹ませた凹部を形成することで、対角に位置する二対の前記角部のうち少なくとも一対の前記角部の形状が互いに異なり、且つ前記４つの角部のうち周方向に隣り合ういずれか２つの前記角部の形状が互いに異なる形態とされ、
正規の姿勢で前記キャビティに挿入されたときには、前記キャビティの内壁に形成した凸部に前記凹部が対応することで挿入を許容され、
不正な姿勢で前記キャビティに挿入されたときには、前記凹部の形成されていない前記角部が前記凸部と干渉することで挿入を規制される構成としたことを特徴とする端子金具。
【請求項２】
前記箱部を構成する上下左右の壁部のうち、前記凹部の形成されていない前記角部に連なる壁部には、その前端縁を折り返し状に曲げ加工することにより湾曲面を前方へ臨ませた形態の補強部が形成されていることを特徴とする請求項１記載の端子金具。
【請求項３】
前記箱部が、前記キャビティへの挿入方向と略平行な折り目に沿って順次に曲げ加工することによって形成され、上下左右のいずれかの壁部が二重壁構造とされているものであって、
前記二重壁のうち外面側の壁部の自由端側の側縁と対応する位置に、前記凹部が設けられていることを特徴とする請求項１又は請求項２記載の端子金具。
【請求項４】
キャビティを有するハウジングと、前記キャビティ内に挿入される端子金具とを備えてなり、前記端子金具には、前記キャビティへの挿入方向と直交する横断面形状が概ね方形をなす箱部が設けられているコネクタであって、
前記箱部の略方形の横断面を構成する４つの角部のうち少なくとも１つの角部に位置する部分に、前記箱部を構成する上下左右の外面よりも内側に凹ませた凹部を形成することで、対角に位置する二対の前記角部のうち少なくとも一対の前記角部の形状が互いに異なり、且つ前記４つの角部のうち周方向に隣り合ういずれか２つの前記角部の形状が互いに異なる形態とされ、
前記端子金具が正規の姿勢で前記キャビティに挿入されたときには、前記キャビティの内壁に形成した凸部に前記凹部が対応することで挿入が許容され、
前記端子金具が不正な姿勢で前記キャビティに挿入されたときには、前記凹部の形成されていない前記角部が前記凸部と干渉することで挿入が規制される構成としたことを特徴とするコネクタ。
【請求項５】
前記箱部を構成する上下左右の壁部のうち、前記凹部の形成されていない前記角部に連なる壁部には、その前端縁を折り返し状に曲げ加工することにより湾曲面を前方へ臨ませた形態の補強部が形成されていることを特徴とする請求項４記載のコネクタ。
【請求項６】
前記箱部が、前記キャビティへの挿入方向と略平行な折り目に沿って順次に曲げ加工することによって形成され、上下左右のいずれかの壁部が二重壁構造とされているものであって、
前記二重壁のうち外面側の壁部の自由端側の側縁と対応する位置に、前記凹部が設けられていることを特徴とする請求項４または請求項５に記載のコネクタ。
【発明の詳細な説明】
【技術分野】
【０００１】
本発明は、端子金具及びコネクタに関するものである。
【背景技術】
【０００２】
特許文献１には、一括ゴム栓を用いたコネクタが開示されている。このコネクタは、ハウジングの後端部に一括ゴム栓を取り付け、その一括ゴム栓に形成した複数の貫通孔に端子金具を貫通させてハウジング内に収容し、端子金具の後端に固着した電線に貫通孔の内周が密着することで防水を図るようになっている。
【特許文献１】特開平７−２４０２５０号公報
【発明の開示】
【発明が解決しようとする課題】
【０００３】
上記コネクタにおいて、端子金具が横向きの姿勢や上下反転した姿勢で挿入されるのを防止する手段として、端子金具に外面側へ突出するスタビライザと称される突起を形成し、ハウジングの端子収容室内に突起と対応する溝を形成する構造が知られている。
【０００４】
この構造によれば、端子金具が正しい姿勢で挿入されたときにのみ、突起が溝内に進入しつつ端子金具の挿入動作が許容され、端子金具が不正な姿勢の場合には、突起が端子収容室の開口部と干渉して端子金具の挿入動作が規制されるようになる。
【０００５】
ところが、突起を形成したものでは、一括ゴム栓の貫通孔に端子金具を貫通させるときに、突起が貫通孔の内周を傷付けことが懸念される。また、端子金具が大型化するためにハウジングも大型化するという問題もある。  
本発明は上記のような事情に基づいて完成されたものであって、端子金具に突起を設けることなく、端子金具の不正な姿勢での挿入動作を規制することを目的とする。
【課題を解決するための手段】
【０００６】
上記の目的を達成するための手段として、請求項１の発明は、ハウジングのキャビティ内への挿入を可能とされ、前記キャビティへの挿入方向と直交する横断面形状が概ね方形をなす箱部を備えた端子金具であって、前記箱部の略ほうけいの横断面を構成する４つの角部のうち少なくとも１つの角部に位置する部分に、前記箱部を構成する上下左右の外面よりも内側に凹ませた凹部を形成することで、対角に位置する二対の前記角部のうち少なくとも一対の前記角部の形状が互いに異なり、且つ前記４つの角部のうち周方向に隣り合ういずれか２つの前記角部の形状が互いに異なる形態とされ、正規の姿勢で前記キャビティに挿入されたときには、前記キャビティの内壁に形成した凸部に前記凹部が対応することで挿入を許容され、不正な姿勢で前記キャビティに挿入されたときには、前記凹部の形成されていない前記角部が前記凸部と干渉することで挿入を規制される構成としたところに特徴を有する。
【０００７】
請求項２の発明は、請求項１に記載のものにおいて、前記箱部を構成する上下左右の壁部のうち、前記凹部の形成されていない前記角部に連なる壁部には、その前端縁を折り返し状に曲げ加工することにより湾曲面を前方へ臨ませた形態の補強部が形成されているところに特徴を有する。
【０００８】
請求項３の発明は、請求項１または請求項２に記載のものにおいて、前記箱部が、前記キャビティへの挿入方向と略平行な折り目に沿って順次に曲げ加工することによって形成され、上下左右のいずれかの壁部が二重壁構造とされているものであって、前記二重壁のうち外面側の壁部の自由端側の側縁と対応する位置に、前記凹部が設けられているところに特徴を有する。
【０００９】
請求項４の発明は、キャビティを有するハウジングと、前記キャビティ内に挿入される端子金具とを備えてなり、前記端子金具には、前記キャビティへの挿入方向と直交する横断面形状が概ね方形をなす箱部が設けられているコネクタであって、前記箱部の略方形の横断面を構成する４つの角部のうち少なくとも１つの角部に位置する部分に、前記箱部を構成する上下左右の外面よりも内側に凹ませた凹部を形成することで、対角に位置する二対の前記角部のうち少なくとも一対の前記角部の形状が互いに異なり、且つ前記４つの角部のうち周方向に隣り合ういずれか２つの前記角部の形状が互いに異なる形態とされ、前記端子金具が正規の姿勢で前記キャビティに挿入されたときには、前記キャビティの内壁に形成した凸部に前記凹部が対応することで挿入が許容され、前記端子金具が不正な姿勢で前記キャビティに挿入されたときには、前記凹部の形成されていない前記角部が前記凸部と干渉することで挿入が規制される構成としたところに特徴を有する。
【００１０】
請求項５の発明は、請求項４に記載のものにおいて、前記箱部を構成する上下左右の壁部のうち、前記凹部の形成されていない前記角部に連なる壁部には、その前端縁を折り返し状に曲げ加工することにより湾曲面を前方へ臨ませた形態の補強部が形成されているところに特徴を有する。
【００１１】
請求項６の発明は、請求項４または請求項５に記載のものにおいて、前記箱部が、前記キャビティへの挿入方向と略平行な折り目に沿って順次に曲げ加工することによって形成され、上下左右のいずれかの壁部が二重壁構造とされているものであって、前記二重壁のうち外面側の壁部の自由端側の側縁と対応する位置に、前記凹部が設けられているところに特徴を有する。
【発明の効果】
【００１２】
＜請求項１及び請求項４の発明＞
端子金具を正規の姿勢に対して左右いずれかへ９０°回転した姿勢でキャビティに挿入しようとしても、周方向に隣り合う２つの角部の形状が異なるので、角部が凸部と干渉し、挿入が不能となる。また、端子金具を正規の姿勢に対して１８０°反転させた姿勢でキャビティに挿入しようとしても、対角に位置する２つの角部の形状が異なるので、角部が凸部と干渉し、挿入が不能となる。  
端子金具の不正な姿勢での挿入を規制する手段である凹部は、箱部を構成する上下左右の４面よりも内側に凹ませた形態なので、一括ゴム栓の貫通孔に端子金具を貫通させたときに貫通孔の内壁を傷付けることがなく、また、端子金具とハウジングが大型化せずに済む。
【００１３】
＜請求項２及び請求項５の発明＞
端子金具が不正に姿勢でキャビティに挿入されようとしたときに、凹部の形成されていない角部に連なる壁部の前端がキャビティの凸部と干渉するが、壁部の前端には補強部が形成されているので、壁部が変形する虞はない。しかも、補強部の前端は湾曲面となっているので、凸部が傷付けられる虞もない。
【００１４】
＜請求項３及び請求項６の発明＞
端子金具が不正な姿勢でキャビティに挿入されようとしたときには、凹部の形成されていない角部がキャビティの凸部に突き当たるのであるが、もし、その突き当たる角部が、二重壁のうち外面側の壁部の自由端側の側縁と対応する角部であった場合には、その外面側の壁部が変形する虞がある。しかし、本発明では、外面側の壁部の自由端側の側縁と対応する位置に凹部を設けたので、端子金具が正しい姿勢で挿入されたときは勿論、不正な姿勢で挿入されようとしたときでも、外面側の壁部の自由端がキャビティの凸部と干渉する虞はない。
【発明を実施するための最良の形態】
【００１５】
＜実施形態１＞
以下、本発明を具体化した実施形態１を図１乃至図９を参照して説明する。尚、図１及び図２は端子金具を正面から視た図であるため、以下の説明における左右方向については図１及び図２では左右逆向きとなる。  
本実施形態のコネクタは、合成樹脂製のハウジング１０内に端子金具２０を挿入したものである。ハウジング１０の内部には、前後方向に貫通する複数のキャビティ１１が上下２段に分かれて整列して形成されている。
【００１６】
上段のキャビティ１１のうち略前半部分は、前後方向（キャビティ１１に対する端子金具２０の挿入方向）と直交する横断面が略方形をなす略方形空間１１Ｆとなっており、この略方形空間１１Ｆ内には端子金具２０の箱部２１が収容されるようになっている。この略方形空間１１Ｆには、右側面と上面とが連なる隅部を中心側へ向けて斜め下方へ張り出した形態の上部凸部１２と、右側面と下面とが連なる隅部を中心側へ向けて斜め上方へ張り出した形態の下部凸部１３とが形成されている。この上下２つの凸部１２，１３は、後方から視ると略二等辺三角形をなし、凸部１２，１３の内面は、右側面及び上下両面に対して約４５°傾斜したテーパ状の平坦面となっている。また、凸部１２，１３の後端は、略方形空間１１Ｆの後端に位置し、その凸部１２，１３の後端面は、端子金具２０が不正な姿勢でキャビティ１１に挿入されようとしたときに端子金具２０の角部３１，３２が突き当たるようにした突当面１２Ｓ，１３Ｓとなっている。
【００１７】
略方形空間１１Ｆの下面における略後半領域には、前方へ片持ち状に突出する形態のランス１４が形成されている。ランス１４の上面は、略方形空間１１Ｆの下面に対して面一状の高さとされ、ランス１４の上面には、端子金具２０の挿入経路中へ進出する抜止め突起１４ａが形成されている。このランス１４は、キャビティ１１に正規挿入された端子金具２０を抜止めするためのものであって、ランス１４の下方に確保された撓み空間１５内へ前傾しつつ進出するように弾性撓みし得るようになっている。また、このランス１４の幅方向（左右方向）における中心線は、キャビティ１１（略方形空間１１Ｆ）の幅方向における中心線に対して左方（凸部１２，１３とは反対側）へオフセットされている。
【００１８】
キャビティ１１のうち略後半領域は、前後方向（キャビティ１１に対する端子金具２０の挿入方向）と直交する横断面が円形をなす円形空間１１Ｒとなっており、この円形空間１１Ｒ内には端子金具２０の圧着部５０が収容されるようになっている。  
尚、上段のキャビティ１１と下段のキャビティ１１は、上下に反転させた形態であるため、下段のキャビティ１１については、上段のキャビティ１１と同じ構成に上段側の同じ符号を付すに留め、詳しい説明を省略する。
【００１９】
次に、端子金具２０について説明する。  
端子金具２０は、所定形状に打ち抜いた金属板材２０ａを曲げ加工したものであり、全体として前後方向に細長い形状をなす。端子金具２０の略前半部分は、図示しない雄端子のタブとの接触手段である箱部２１となっており、略後半部分は電線５３との接続手段である圧着部５０となっている。  
箱部２１は、キャビティ１１に対する端子金具２０の挿入方向と略平行な折り目２２に沿って金属板材２０ａを曲げ加工して形成され、上面壁２３、下面壁２４、右側面壁２５、左側面壁２６を有する。箱部２１のキャビティ１１への挿入方向と直交する横断面形状は、キャビティ１１の略方形空間１１Ｆに対して上下左右に大きくガタ付きを生じることなく収容されるように、全体として概ね方形をなしている。上面壁２３は内面壁２３ａと外面壁２３ｂとをほぼ面接触状態で重ね合わせた二重壁構造をなすが、それ以外の壁部２４，２５，２６と後述するテーパ壁２７，２８は一枚板構造である。
【００２０】
下面壁２４と右側面壁２５との間には、この両壁２４，２５に対して斜め約４５°をなす下部テーパ壁２７が介在している。また、右側面壁２５と内面壁２３ａとの間にも、この両壁２３，２５に対して斜め約４５°をなす上部テーパ壁２８が介在している。つまり、箱部２１の横断面形状は、全体として四角形をなすが、詳細には６枚の壁部２３〜２８によって構成されている。下面壁２４と左側面壁２６の下端とは曲率半径の小さい四半円弧部２９を介して略直角に連なり、左側面壁２６の上端と外面壁２３ｂとは曲率半径の小さい四半円弧部３０を介して略直角に連なっている。一方、下面壁２４の右側縁には下部テーパ壁２７が斜めに連なり、下部テーパ壁２７の上端には右側面壁２５が斜めに連なり、右側面壁２５の上端には上部テーパ壁２８が斜めに連なり、上部テーパ壁２８の上端には内面壁２３ａが斜めに連なっている。下部テーパ壁２７は、箱部２１の前端から後端に至る全域に亘って連続して形成されているが、上部テーパ壁２８は、上部テーパ壁２８の前端よりも少し後方の位置から箱部２１の後端に至る領域に亘って形成されている。
【００２１】
全体として方形をなす箱部２１の４つの角部３１〜３４のうち、左上の角部３１と左下の角部３２は、箱部２１を構成する２つの壁部２３ｂと２６、２６と２４を概ね直角に連ねた形態である。これに対し、右下の角部３３と右上の角部３４には、夫々、テーパ壁２７，２８を設けたことによって下部凹部３５と上部凹部３６が形成されている。つまり、箱部２１を構成する４つの角部３１〜３４のうち２の角部３３，３４には、箱部２１を構成する上下左右の外面よりも内側に凹ませた凹部３５，３６が形成され、この凹部３５，３６により、対角に位置する左上の角部３１と右下の角部３３が互いに異なる形状となっているとともに、左下の角部３２と右上の角部３４が互いに異なる形状となっている。また。４つの角部３１〜３４のうち周方向に隣り合う２つの角部、即ち右上の角部３４と左上の角部３１が互いに異なる形状となっているとともに、右下の角部３３と左下の角部３２が互いに異なる形状となっている。
【００２２】
また、左側面壁２６の上端部に形成した前後方向に細長く貫通する係止孔３７には、内面壁２３ａの自由端（左端）側の端縁に突成した係止片３８が嵌合され、この嵌合によって、上面壁２３（内面壁２３ａ及び外面壁２３ｂ）の上下方向への変位が規制されている。また、外面壁２３ｂは、内面壁２３ａの上面（外面）に対して面接触状態で重ねられ、外面壁２３ｂの自由端（右端）側の端縁は、内面壁２３ａと上部テーパ壁２８のいずれにも係止されない状態である。さらに、外面壁２３ｂの自由端の端縁には、上部テーパ壁２８の外面に対してほぼ面一となるテーパ状の面取り３９が施されている。
【００２３】
さらに、下面壁２４の前端縁、左側面壁２６の前端縁、右側面壁２５の前端縁には、夫々、箱部２１の内側後方へ折り返すように密着曲げすることにより、補強部４１，４２，４３が形成されている。補強部４１，４２，４３は、その曲げの外側となる湾曲面４１Ｓ，４２Ｓ，４３Ｓを前方へ向けている。外面壁２３ｂの前端縁には、下方へ略直角に曲げられた保護壁４４が形成されている。尚、左側面壁２６の上下両端の略四半円弧部２９，３０の前端縁、上部テーパ壁２８の前端縁及び下部テーパ壁２７の前端縁には、上記のような補強部は形成されておらず、略四半円弧部２９，３０と上下両テーパ壁２７，２８の前端縁は上記補強部４１，４２，４３よりも後方に位置する。
【００２４】
下面壁２４には、ランス孔４５が形成されている。このランス孔４５の幅方向における中心線は、箱部２１の幅へ方向中心線に対して左方へオフセットしており、これにより、ランス孔４５の中心とハウジング１０のランス１４の中心とが合致するようになっている。内面壁２３ａの前端縁からは、箱部２１の内側後方へ折り返すことによって弾性接触片４６が形成されている。弾性接触片４６は全体として前後方向に細長く、側方から視て勾配の緩やかな谷形に屈曲していて、弾性接触片４６の最下点が接点部４７となっている。また、下面壁２４には、接点部４７を含む領域を上方（弾性接触片４６側）へ台座状に叩き出すことによって受け部４８が形成されている。前方から箱部２１に挿入されたタブ（図示せず）は、受け部４８により面接触状態で支承されつつ弾性接触片４６の弾力によって所定の接触圧で接点部４７に接触する。
【００２５】
圧着部５０は、箱部２１の下面壁２４に連なる底壁５１と、この底壁５１の左右両側縁から立ち上がるカシメ片５２とからなる。圧着部５０には、電線５３の絶縁被覆５３ａと、絶縁被覆５３ａを剥いて露出させた芯線５３ｂが、カシメ片５２を抱き付かせるようにカシメ付けて圧着することで、接続されている。この圧着部５０は、電線５３が圧着済みの状態で全体として円形断面をなし、上部テーパ壁２８ハウジング１０のキャビティ１１の円形空間１１Ｒに収容される。
【００２６】
次に、本実施形態の作用を説明する。  
端子金具２０がキャビティ１１に対して正しい姿勢で後方から上部キャビティ１１に挿入されると、挿入過程では、箱部２１の下面壁２４の補強部４３がランス１４の抜止め突起１４ａに当接し、箱部２１はランス１４を撓み空間１５側へ押し下げつつ前進を続ける。そして、端子金具２０が正規挿入位置に達すると、ランス１４が弾性復帰することによって抜止め突起１４ａがランス孔４５に係止し、もって、端子金具２０が抜止め状態とされる。正規挿入された状態では、図１に示すように、端子金具２０の下面壁２４、左側面壁２６、右側面壁２５、外面壁２３ｂが、夫々、キャビティ１１の下面、左側面、右側面、上面に対してごく僅かなクリアランス１４のみを空けて対向するとともに、端子金具２０の上部凹部３６と下部凹部３５のテーパ状の外面が、夫々、キャビティ１１の上部凸部１２と下部凸部１３のテーパ状の内面に対してごく僅かなクリアランス１４のみを空けて対向し、端子金具２０がキャビティ１１内で上下左右へのガタ付きなく収容される。尚、下部キャビティ１１に対しては、端子金具２０を上記とは上下反転させた姿勢で挿入する。
【００２７】
さて、上部キャビティ１１に対し端子金具２０を正規の姿勢に対して右（図１における反時計回り方向）へ９０°回転した不正な姿勢で挿入しようとした場合には、箱部２１が略方形空間１１Ｆに進入する手前で、左上の角部３１の前端（左側面壁２６の補強部４１の湾曲面４１Ｓと外面壁２３ｂの保護壁４４の前面）が上部凸部１２の後端の突当面１２Ｓに突き当たり、この突き当たりによってそれ以上の端子金具２０のの挿入が規制される。また、端子金具２０を正規の姿勢に対して左（図１における時計回り方向）へ９０°回転した不正な姿勢で挿入しようとした場合には、左下の角部３２の前端（左側面壁２６の補強部４１の湾曲面４１Ｓと下面壁２４の補強部４３の湾曲面４３Ｓ）が下部凸部１３の突当面１３Ｓに突き当たるため、この場合も端子金具２０の挿入が規制される。さらに、端子金具２０を正規の姿勢に対して１８０°反転させた姿勢で上部キャビティ１１に挿入しようとした場合には、左上の角部３１が下部凸部１３に突き当たるとともに、左下の角部３２が上部凸部１２に突き当たることにより、端子金具２０のそれ以上の挿入動作が規制される。
【００２８】
本実施形態によれば、端子金具２０の不正な姿勢での挿入を規制する手段である凹部３５，３６は、箱部２１を構成する上下左右の４面よりも内側に凹ませた形態なので、例えば一括ゴム栓（図示せず）の貫通孔に端子金具２０を貫通させたときに貫通孔の内壁を傷付けることがなく、また、端子金具２０とハウジング１０が大型化せずに済む。
【００２９】
また、箱部２１を構成する上下左右の壁部２３〜２６のうち、凹部３５，３６の形成されていない左上と左下に位置する角部３１，３２に連なる壁部（左側面壁２６と下面壁２４）には、その前端縁を折り返し状に曲げ加工することにより湾曲面を前方へ臨ませた形態の補強部４１，４３を形成している。これにより、端子金具２０が不正に姿勢でキャビティ１１に挿入されようとしたときに、凹部３５，３６の形成されていない角部３１，３２に連なる壁部２４，２６の前端がキャビティ１１の凸部１２，１３と干渉しても、補強部４１，４３によって壁部（左側面壁２６と下面壁２４）の変形が防止される。しかも、補強部４１，４３の前端はエッジ状ではなく湾曲面４１Ｓ，４３Ｓとなっているので、凸部１２，１３が傷付けられる虞もない。
【００３０】
また、箱部２１は、金属板材２０ａをキャビティ１１への挿入方向と略平行な折り目２２に沿って順次に曲げ加工することによって形成され、上面壁２３が二重壁構造とされて、その上面壁２３を構成する外面壁２３ｂの自由端縁（右端縁）は、他の壁部に係止しない状態、即ち他部材との干渉によって変形を来たし易い状態となっている。そして、上記のように端子金具２０が不正な姿勢でキャビティ１１に挿入されようとしたときには、凹部３５，３６の形成されていない角部３１，３２がキャビティ１１の凸部１２，１３に突き当たることから、もし、その突き当たる角部が、外面壁２３ｂの自由端縁と対応する右上の角部３４であった場合には、外面壁２３ｂが変形する虞がある。そこで本実施形態では、凹部３６を、外面壁２３ｂの自由端縁と対応する右上位置に配置している。これにより、端子金具２０が正しい姿勢で挿入されたときは勿論、不正な姿勢で挿入されようとしたときでも、外面壁２３ｂの自由端がキャビティ１１の凸部１２，１３と干渉することが回避されている。
【００３１】
＜実施形態２＞
次に、本発明を具体化した実施形態２を図１０ないし図１２を参照して説明する。本実施形態２は、端子金具６０を上記実施形態１とは異なる構成としたものである。その他の構成については上記実施形態１と同じであるため、同じ構成については、同一符号を付し、構造、作用及び効果の説明は省略する。  
本実施形態２の端子金具６０は、先端に前方へ突出する細長いタブ６１を有し、タブ６１の後端に箱部６２が連なり、箱部６２の後端に圧着部５０が連なった形態であって、全体として前後方向に細長い。箱部６２は、上面壁６３、下面壁６４、右側面壁６５、左側面壁６６を有する。箱部６２のキャビティへの挿入方向と直交する横断面形状は、全体として概ね方形をなしている。上面壁６３は、右側面壁６５の上端から内側に延出する右壁６３Ｒと、左側面壁６６の上端から内側へ延出する左壁６３Ｌとをほぼ面一状に突き合わせて構成される。
【００３２】
下面壁６４と右側面壁６５との間には、この両壁６４，６５に対して斜め約４５°をなす下部テーパ壁６７が介在している。また、右側面壁６５と右壁６３Ｒとの間にも、この両壁６３Ｒ，６５に対して斜め約４５°をなす上部テーパ壁６８が介在している。つまり、箱部６２の横断面形状は、全体として四角形をなすが、詳細には６枚の壁部６３Ｌ，６３Ｒ，６４，６５，６６，６７，６８によって構成されている。下面壁６４と左側面壁６６の下端とは曲率半径の小さい四半円弧部６９を介して略直角に連なり、左側面壁６６の上端と左壁２３ｂとは曲率半径の小さい四半円弧部７０を介して略直角に連なっている。一方、下面壁６４の右側縁には下部テーパ壁６７が斜めに連なり、下部テーパ壁６７の上端には右側面壁６５が斜めに連なり、右側面壁６５の上端には上部テーパ壁６８が斜めに連なり、上部テーパ壁６８の上端には右壁６３Ｒが斜めに連なっている。
【００３３】
全体として方形をなす箱部６２の４つの角部７１〜７４のうち、左上の角部７１と左下の角部７２は、箱部６２を構成する２つの壁部６３Ｌと６６，６６と６４を概ね直角に連ねた形態である。これに対し、右下の角部７３と右上の角部７４には、夫々、テーパ壁６７，６８を設けることで、箱部６２を構成する上下左右の外面よりも内側に凹ませた形態の下部凹部７５と上部凹部７６が形成されている。この凹部７５，７６により、箱部６２を構成する４つの角部７１〜７４のうち対角に位置する左上の角部７４と右下の角部７２が互いに異なる形状となっているとともに、左下の角部７３と右上の角部７１が互いに異なる形状となっている。また。４つの角部７１〜７４のうち周方向に隣り合う２つの角部、即ち右上の角部７４と左上の角部７１が互いに異なる形状となっているとともに、右下の角部７３と左下の角部７２が互いに異なる形状となっている。
【００３４】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では４つの角部のうち２つの角部に凹部を形成したが、本発明によれば、凹部を１つの角部のみに形成してもよく、３つの角部に形成してもよい。  
（２）上記実施形態では凹部をテーパ状に切欠した形態としたが、本発明によれば、弧状に切欠した形態、方形や三角形に切欠した形態としてもよい。  
（３）上記実施形態では圧着端子に適用したが、本発明は、圧接端子にも適用できる。
【００３５】
（４）上記実施形態１では凹部の形成されていない角部に連なる壁部の前端に補強部を形成したが、本発明によれば、このような補強部を形成しない構成としてもよい。
【図面の簡単な説明】
【００３６】
【図１】実施形態１において端子金具をキャビティに挿入した状態をあらわす正面図
【図２】端子金具の正面図
【図３】端子金具の側面図
【図４】端子金具の平面図
【図５】端子金具の底面図
【図６】図２のＸ−Ｘ線断面図
【図７】端子金具の展開図
【図８】ハウジングの背面図
【図９】ハウジングの断面図
【図１０】実施形態２の端子金具の正面図
【図１１】実施形態２の端子金具の側面図
【図１２】図１０のＹ−Ｙ線断面図
【符号の説明】
【００３７】
１０…ハウジング
１１…キャビティ
１２，１３…凸部
２０…端子金具
２１…箱部
２３ａ…内面側の上面壁（壁部）
２３ｂ…外面側の上面壁（壁部）
２４…下面壁（壁部）
２５…右側面壁（壁部）
２６…左側面壁（壁部）
３１，３２，３３，３４…角部
３５，３６…凹部
４１，４２，４３…補強部
４１Ｓ，４２Ｓ，４３Ｓ…湾曲面
【図１】
2006019076.tif 000003
【図２】
2006019076.tif 000004
【図３】
2006019076.tif 000005
【図４】
2006019076.tif 000006
【図５】
2006019076.tif 000007
【図６】
2006019076.tif 000008
【図７】
2006019076.tif 000009
【図８】
2006019076.tif 000010
【図９】
2006019076.tif 000011
【図１０】
2006019076.tif 000012
【図１１】
2006019076.tif 000013
【図１２】
2006019076.tif 000014